(57)【要約】【課題】防護管を電線に向けて常に円滑に移動させることができ、防護管の電線への装着作業をやりやすくし、作業負担を軽減できるようにする。【解決手段】防護管装着具１の装着具本体１０を構成する左右の分割体１１にそれぞれ設けられたローラ部材２１の端部にフレア部２１ａを形成する。これにより、防護管のツバの縁部がローラ部材２１の端部と左側案内片３２または右側案内片３３との間の隙間に食い込むのを防止できる。したがって、防護管の電線への装着作業をやりやすくでき、作業負担を軽減することができる。【選択図】図１
2015008574.tif 000002
【特許請求の範囲】
【請求項１】
筒形状に形成された防護管の延在方向に切り込まれている割り部間を拡開させ、当該防護管を前記電線に装着する防護管装着具であって、
拡開面を有し、前記電線を内部に位置させるとともに、前記電線向かって移動する前記防護管の割り部間に前記拡開面を割り込ませて前記防護管の割り部間を拡開させる拡開部と、
前記拡開面において前記防護管の割り部への割込みが開始される前側部および前記拡開面において前記防護管が前記電線の外周側へ運び出される後ろ側部に電線を位置決め保持する位置決め部と、
前記防護管が前記拡開部から離脱しないように前記防護管の割り部の内面に接触または係合しつつ前記位置決め部により位置決めされている前記電線の外周側へ前記防護管を案内する案内部とを備え、
前記拡開部は、
前記電線を挟んで把持し、左右両側に位置する外面がそれぞれ前記拡開面となり、前記拡開面には前方に向かって漸次互いに接近して前記防護管の割り部に割り込ませる割込み面がそれぞれ形成された挟み部と、
前記拡開面に沿うように並設され、前記防護管の割り部の相対移動する方向に回転自在に支持された複数本のローラ部材とを備え、
前記案内部は、
板状に形成され、前記挟み部の左側の開閉端に取り付けられ、左側の縁部が左側の前記拡開面よりも左方に突出した左側案内片と、
板状に形成され、前記挟み部の右側の開閉端に取り付けられ、右側の縁部が右側の前記拡開面よりも右方に突出した右側案内片とを備え、
前記複数本のローラ部材のうち少なくとも１本のローラ部材において前記挟み部の開閉端側に位置する端部には、その先端に向かって漸次拡径するフレア部が設けられていることを特徴とする防護管装着具。
【請求項２】
前記複数本のローラ部材は、前記左側の拡開面および前記右側の拡開面にそれぞれ沿うように２列に並設され、互いに異なる列に配置された一対のローラ部材のそれぞれにおいて前記挟み部の開閉端側に位置する端部には、その先端に向かって漸次拡径するフレア部が設けられていることを特徴とする請求項１に記載の防護管装着具。
【請求項３】
前記左側案内片および前記右側案内片のそれぞれは、前記拡開部よりも前方に突出した突出部を有し、前記各突出部はその突出端に向かって左右方向の寸法が漸次小さくなることを特徴とする請求項１または２に記載の防護管装着具。
【請求項４】
前記挟み部の開閉端を閉じて前記左側案内片と前記右側案内片とを合わせた前記案内部の全体的形状が鏃状またはサーフボード状であることを特徴とする請求項３に記載の防護管装着具。
【請求項５】
前記左側案内片および前記右側案内片のそれぞれの突出部は、前記防護管の端部が前記拡開部の前側端部に到達する前に、前記防護管の割り部に割り込み、前記防護管の割り部を拡開させることを特徴とする請求項３または４に記載の防護管装着具。
【発明の詳細な説明】
【技術分野】
【０００１】
本発明は、電線に防護管を装着する防護管装着具に関する。
【背景技術】
【０００２】
例えば、電柱に設けられた変圧器と配電線との間を接続する高圧引下線等の電線に、感電防止等のために防護管を装着することがある。防護管は、絶縁材料により筒形状に形成され、また、容易に湾曲するように蛇腹状に形成されている。さらに、防護管には、その延在方向に割り部が切り込まれている。これにより、電線が例えば変圧器に接続された状態のままであっても、当該電線周りに防護管を装着することができる。
【０００３】
多くの場合、防護管の電線への装着は間接活線作業として行われる。すなわち、作業者は、絶縁ヤットコ等の間接活線工具を用いて防護管を把持し、間接活線工具を動かして防護管を電線の装着開始位置へ運び、間接活線工具を操作して防護管を電線に装着する。
【０００４】
特許第４３４０１８０号公報には、電線に防護管を装着する防護管装着具（挿入補助具）が記載されている。防護管装着具は、当該防護管装着具自体を電線に取り付けるために電線を左右方向に挟んで把持するクリップ状の挟み部を備えている。また、挟み部の左右両側には、防護管を電線に装着する方向へ移動させたときに、防護管の割り部を押し広げる拡開面が形成されている。
【０００５】
また、上記防護管装着具において、挟み部の開閉端側には、割り部が押し広げられた状態の防護管を電線の外周側へ案内する案内部が設けられている。案内部は、挟み部の左側の開閉端に取り付けられた左側板片と、挟み部の右側の開閉端に取り付けられた右側板片とを備え、左側板片の左側の縁部は挟み部の左方へ張り出し、右側板片の右側の縁部は挟み部の右方へ張り出している。これら張り出した部分に、防護管の湾曲した内面が接触ないし係合することで、防護管の進路が定まり、防護管が電線へ案内される。
【０００６】
さらに、上記防護管装着具において、挟み部には、電線の外周側へ向う防護管の移動を円滑にするために、複数のローラ部材が拡開面に沿うように並設されている。
【０００７】
作業者は、このような防護管装着具を用いることにより、間接活線工具を用いて防護管を電線に容易に装着することができる。具体的には、作業者は、間接活線工具を用いて防護管装着具を電線の装着開始位置に取り付け、続いて、間接活線工具を用いて防護管の端部の割り部に防護管装着具の拡開面を割り込ませ、その状態のまま、間接活線工具で防護管を電線に向けて軽く押し込むだけで、防護管を電線に装着することができる。
【先行技術文献】
【特許文献】
【０００８】
【特許文献１】特許第４３４０１８０号公報
【発明の概要】
【発明が解決しようとする課題】
【０００９】
しかしながら、上記防護管装着具には次のような問題がある。すなわち、上記防護管装着具において、拡開面に沿うように並設されたローラ部材は、挟み部の左側部分または右側部分に設けられた支持部と、挟み部の開閉端部に取り付けられた案内部（左側板片または右側板片）との間に回転可能に支持されている。また、ローラ部材の端部とそれに対向する案内部（左側板片または右側板片）との間には、ローラ部材の円滑な回転を確保する程度の隙間が確保されている。
【００１０】
防護管が電線に装着されるとき、防護管は、その割り部が拡開面により押し広げられた状態で、案内部により電線に向けて案内される。この間、割り部の縁部がローラ部材に押し付けられる。
【００１１】
ローラ部材はその一端から他端まで直径の等しい円柱状または円筒状に形成されているため、防護管の電線への移動に伴い、割り部の縁部がローラ部材に押し付けられた状態で移動しているとき、割り部の縁部がローラ部材上を案内部側に向かって滑り、割り部の縁部がローラ部材の端部と案内部との間の上記隙間に食い込むことがある。
【００１２】
割り部の縁部が上記隙間に食い込み、当該縁部が上記隙間に引っ掛かってしまうと、作業者が防護管を電線に向けて押し込むように間接活線工具を介して防護管に力を加えても、防護管は電線に向けて移動しなくなってしまう。この場合、作業者は、一旦、防護管を逆方向に引っ張り、割り部の縁部を上記隙間から抜き取らなければならない。この結果、防護管の電線への装着作業がやり難くなり、作業負担が増加するという問題がある。
【００１３】
本発明は例えば上述したような問題に鑑みなされたものであり、本発明の課題は、防護管を電線に向けて常に円滑に移動させることができ、防護管の電線への装着作業をやりやすくし、作業負担を軽減することができる防護管装着具を提供することにある。
【課題を解決するための手段】
【００１４】
上記課題を解決するために、本発明の第１の防護管装着具は、筒形状に形成された防護管の延在方向に切り込まれている割り部間を拡開させ、当該防護管を前記電線に装着する防護管装着具であって、拡開面を有し、前記電線を内部に位置させるとともに、前記電線向かって移動する前記防護管の割り部間に前記拡開面を割り込ませて前記防護管の割り部間を拡開させる拡開部と、前記拡開面において前記防護管の割り部への割込みが開始される前側部および前記拡開面において前記防護管が前記電線の外周側へ運び出される後ろ側部に電線を位置決め保持する位置決め部と、前記防護管が前記拡開部から離脱しないように前記防護管の割り部の内面に接触または係合しつつ前記位置決め部により位置決めされている前記電線の外周側へ前記防護管を案内する案内部とを備え、前記拡開部は、前記電線を挟んで把持し、左右両側に位置する外面がそれぞれ前記拡開面となり、前記拡開面には前方に向かって漸次互いに接近して前記防護管の割り部に割り込ませる割込み面がそれぞれ形成された挟み部と、前記拡開面に沿うように並設され、前記防護管の割り部の相対移動する方向に回転自在に支持された複数本のローラ部材とを備え、前記案内部は、板状に形成され、前記挟み部の左側の開閉端に取り付けられ、左側の縁部が左側の前記拡開面よりも左方に突出した左側案内片と、板状に形成され、前記挟み部の右側の開閉端に取り付けられ、右側の縁部が右側の前記拡開面よりも右方に突出した右側案内片とを備え、前記複数本のローラ部材のうち少なくとも１本のローラ部材において前記挟み部の開閉端側に位置する端部には、その先端に向かって漸次拡径するフレア部が設けられていることを特徴とする。
【００１５】
本発明の第２の防護管装着具は、上述した本発明の第１の防護管装着具において、前記複数本のローラ部材は、前記左側の拡開面および前記右側の拡開面にそれぞれ沿うように２列に並設され、互いに異なる列に配置された一対のローラ部材のそれぞれにおいて前記挟み部の開閉端側に位置する端部には、その先端に向かって漸次拡径するフレア部が設けられていることを特徴とする。
【００１６】
本発明の第３の防護管装着具は、上述した本発明の第１または第２の防護管装着具において、前記左側案内片および前記右側案内片のそれぞれは、前記拡開部よりも前方に突出した突出部を有し、前記各突出部はその突出端に向かって左右方向の寸法が漸次小さくなることを特徴とする。
【００１７】
本発明の第４の防護管装着具は、上述した本発明の第３の防護管装着具において、前記挟み部の開閉端を閉じて前記左側案内片と前記右側案内片とを合わせた前記案内部の全体的形状が鏃状またはサーフボード状であることを特徴とする。
【００１８】
本発明の第５の防護管装着具は、上述した本発明の第３または第４の防護管装着具において、前記左側案内片および前記右側案内片のそれぞれの突出部は、前記防護管の端部が前記拡開部の前側端部に到達する前に、前記防護管の割り部に割り込み、前記防護管の割り部を拡開させることを特徴とする。
【発明の効果】
【００１９】
本発明によれば、防護管を電線に向けて常に円滑に移動させることができ、防護管の電線への装着作業をやりやすくし、作業負担を軽減することができる。
【図面の簡単な説明】
【００２０】
【図１】本発明の実施形態による防護管装着具を示す正面図である。
【図２】本発明の実施形態による防護管装着具を示す左側面図である。
【図３】本発明の実施形態による防護管装着具を示す右側面図である。
【図４】本発明の実施形態による防護管装着具を示す平面図である。
【図５】本発明の実施形態による防護管装着具を示す底面図である。
【図６】本発明の実施形態による防護管装着具においてローラ部材のフレア部等を示す拡大図である。
【図７】防護管を示す外観図である。
【図８】防護管の端部を示す横断面図である。
【図９】本発明の実施形態による防護管装着具を電線に装着する様子を示す説明図である。
【図１０】図９に続く、本発明の実施形態による防護管装着具を電線に装着する様子を示す説明図である。
【図１１】図１０に続く、本発明の実施形態による防護管装着具を電線に装着する様子を示す説明図である。
【図１２】割り部が押し広げられた防護管の端部を示す横断面図である。
【発明を実施するための形態】
【００２１】
以下、本発明の実施の形態について図面を参照しながら説明する。図１ないし図５は、本発明の実施形態による防護管装着具を示している。図６は、本発明の実施形態による防護管装着具におけるローラ部材のフレア部等を示している。図７および図８は防護管を示している。
【００２２】
図１ないし図５において、防護管装着具１は、防護管１０３（図７参照）を電線に装着する器具である。防護管装着具１を用いることにより、絶縁ヤットコ等の間接活線工具を用いて防護管１０３を電線に装着する作業が容易になる。
【００２３】
防護管１０３は、図７または図８に示すように、絶縁材料により筒形状に形成されている。防護管１０３の胴体部１０４は蛇腹状に形成されている。これにより、防護管１０３は自由に屈曲可能である。胴体部１０４の周部の一部には、延在方向に伸びるスリット状の割り部１０５が形成されている。これにより、電線を変圧器等の電気機器に接続された状態のままでも、防護管１０３を電線に装着することができる。また、防護管１０３には、割り部１０５の両端部を防護管１０３の径方向外向きに突出させることにより脚部１０６が形成されている。防護管１０３が電線に装着された後は、脚部１０６同士が互いに当接することにより割り部１０５が確実に閉じる。これにより、防護管１０３による電線の絶縁状態が確実に確保される。また、防護管１０３には、図８に示すように、一方の脚部１０６の基端部を他方の脚部１０６側に向かって防護管１０３の周方向に突出させることによりツバ１０７が形成されている。割り部１０５が閉じた状態では、一方の脚部１０６に形成されたツバ１０７が他方の脚部１０６の基端側と重なり合い、両者が互いに組み合う。これにより、電線に装着された防護管１０３が、風等により電線から容易に外れてしまうことを防止することができる。なお、本実施形態では、このような構成を有する防護管１０３を防護管装着具１を用いて電線に装着する場合を例にあげるが、防護管装着具１は、蛇腹が形成されていない単なる筒形状の防護管等、他のタイプの防護管を電線に取り付ける場合にも用いることができる。
【００２４】
防護管装着具１は、図１に示すように、拡開部としての装着具本体１０を備えている。装着具本体１０は、図２または図３に示すように、２つの分割体１１に左右に分割され、これら分割体１１は、ボルト１２ａおよびナット１２ｂを有する連結部材１２により互いに回動可能に連結されている。また、各分割体１１の下部の挟み部１５は、電線を挟んで把持する部分であり、各分割体１１の上部の摘まみ部１６は、作業者が間接活線工具を用いて挟み部１５の開閉を操作する部分である。また、図４に示すように、２つの分割体１１間にはトーションバネ１３が設けられている。トーションバネ１３は、挟み部１５を閉じる方向にそれぞれの分割体１１を付勢している。
【００２５】
装着具本体１０はクリップの如く動作する。すなわち、左右の摘まみ部１６を摘まみ、トーションバネ１３の付勢力に抗し、これら摘まみ部１６を互い接近させる方向に力を加えると、挟み部１５が開く。一方、摘まみ部１６に力を加えるのを中止すると、トーションバネ１３の付勢力により挟み部１５が閉じる。
【００２６】
また、一方の分割体１１の摘まみ部１６には、引掛紐取付部４２が設けられ、引掛紐取付部４２には引掛紐４１が取り付けられている。防護管装着具１を電線に取り付ける際には、絶遠ヤットコ等の間接活線工具の先端部に引掛紐４１を引っ掛ける。これにより、防護管装着具１を電線に取り付け損ねたときに、防護管装着具１が落下してしまうのを防止することができる。
【００２７】
また、各分割体１１において、挟み部１５の前側（図１中の左側）には、割込み部材１７が設けられている。割込み部材１７は、上下方向および前後方向に広がる平面である割込み面１７ａを有している。図２または図４に示すように、挟み部１５が閉じた状態において、左右の分割体１１に設けられた割込み部材１７の割込み面１７ａは、最も前側に配置されたローラ部材２１の近傍に位置する後縁部分において互いに離間し、そこから前方に向かうに従って漸次互いに接近している。
【００２８】
また、防護管装着具１は、挟み部１５の前側部と後ろ側部とで防護管装着具１と電線との位置を定める位置決め凹部１８および位置決め突部１９を備えている。位置決め凹部１８および位置決め突部１９は、電線に対する防護管装着具１の姿勢を、防護管１０３を電線に正しく案内することができる姿勢にさせる機能を有している（図９参照）。具体的には、位置決め凹部１８は、図１または図２に示すように、各分割体１１に設けられた割込み部材１７の前端部の上部に形成されている。位置決め突部１９は、図３に示すように、各分割体１１の後ろ面側に位置し、分割体１１の上下方向中間部から下方に伸びる板状の部材により形成されている。
【００２９】
また、各分割体１１の下部には、複数本のローラ部材２１および複数本の支柱部材２２が設けられ、これらローラ部材２１および支柱部材２２により挟み部１５が形作られている。左側の分割体１１において、ローラ部材２１および支柱部材２２は、案内部３１の一部を構成する左側案内片３２と共に支持部材２３およびナット２４を用いて左側の分割体１１に取り付けられている。左側の分割体１１には、例えば、２本のローラ部材２１と２本の支柱部材２２とが設けられている。これらローラ部材２１と支柱部材２２とは前後方向に交互に並設されている。また、各ローラ部材２１は、各支持部材２２よりも外側（左側）に配置されている。同様に、右側の分割体１１にも、例えば、２本のローラ部材２１と２本の支柱部材２２とが設けられている。これらローラ部材２１と支柱部材２２とは前後方向に交互に並設されている。また、各ローラ部材２１は、各支持部材２２よりも外側（右側）に配置されている。また、各ローラ部材２１は分割体１１に回転可能に支持されている。一方、各支柱部材２２は分割体１１に回転不能に固定されている。
【００３０】
なお、左側の分割体１１の側面、具体的には、左側の分割体１１に設けられた割込み部材１７の割込み面１７ａと、左側の分割体１１に設けられた２本のローラ部材２１および２本の支柱部材２２とにより形成される面が、左側の分割体１１の拡開面２５に当たる。また、右側の分割体１１の側面、具体的には、右側の分割体１１に設けられた割込み部材１７の割込み面１７ａと、右側の分割体１１に設けられた２本のローラ部材２１および２本の支柱部材２２とにより形成される面が、右側の分割体１１の拡開面２５に当たる。
【００３１】
また、各ローラ部材２１にはフレア部２１ａが形成されている。図６に示すように、フレア部２１ａは、ローラ部材２１において挟み部１５の開閉端側に位置する端部（下端部）に配置されている。また、フレア部２１ａは、ローラ部材２１の下端に向かうに従って漸次拡径している。すなわち、各ローラ部材２１の下端部は、裾広がりの形状、またはスカート状となっている。換言すると、各ローラ部材２１の下端部の外周面は、下方に向かうに従って、ローラ部材２１の軸線から離れる方向に傾斜している。なお、図６中の２７、２８はそれぞれ座金である。
【００３２】
また、防護管装着具１は、防護管１０３が装着具本体１０から離脱しないように防護管１０３の割り部１０５の内面に接触または係合しつつ、位置決め凹部１８および位置決め突部１９により位置決めされている電線の外周側へ防護管１０３を案内する案内部３１を備えている。案内部３１は、左側案内片３２および右側案内片３３を備えている。
【００３３】
左側案内片３２は、板状に形成され、左側の分割体１１の挟み部１５の開閉端（下端）に配置され、左側の分割体１１に支持部材２３を用いて取り付けられている。また、左側案内片３２は、その左側の縁部３２ａが左側の拡開面（左側に配置されたローラ部材２１の左方を向いた外周面）よりも左方に突出している。同様に、右側案内片３３は、板状に形成され、右側の分割体１１の挟み部１５の開閉端（下端）に配置され、右側の分割体１１に支持部材２３を用いて取り付けられている。また、右側案内片３３は、その右側の縁部３３ａが右側の拡開面（右側に配置されたローラ部材２１の右方を向いた外周面）よりも右方に突出している。
【００３４】
また、左側案内片３２および右側案内片３３のそれぞれは、各分割体１１に設けられた割込み部材１７の前端部よりも前方に突出した突出部３２ｂ、３３ｂを有している。各突出部３２ｂ、３３ｂは、その突出端に向かって左右方向の寸法が漸次小さくなる。また、図５に示すように、挟み部１５が閉じ、左側案内片３２と右側案内片３３とを合わせた状態では、案内部３１の全体的形状が鏃状またはサーフボード状となる。
【００３５】
図９ないし図１１は、防護管装着具１を電線に装着する様子を順次示している。図１２は、左側案内片３２および右側案内片３３により、割り部１０５が押し広げられた防護管１０３を示している。図９ないし図１２を参照しつつ、防護管装着具１を用いた防護管１０３の電線への装着作業、並びに当該作業時における防護管装着具１の動作および作用効果について説明する。
【００３６】
防護管１０３の電線Ｄへの装着作業において、作業者は、まず、防護管１０３の電線Ｄへの装着を開始する位置（装着開始位置）に、防護管装着具１を取り付け、同時に、防護管装着具１の姿勢を調整する。
【００３７】
具体的には、作業者は、間接活線工具の先端部に引掛紐４１を引っ掛け、摘まみ部１６を摘まみつつ、防護管装着具１を把持し、防護管装着具１を装着開始位置へ移動させる。続いて、作業者は、間接活線工具を操作し、左右の摘まみ部１６を互いに接近させるように摘まみ部１６に力を加え、挟み部１５を開き、挟み部１５の内部に電線Ｄを位置させ、挟み部１５間に電線Ｄを挟み、その後、摘まみ部１６に力を加えるのを止める。これにより、挟み部１５が閉じ、挟み部１５により電線Ｄが把持される。この結果、防護管装着具１が電線Ｄの装着開始位置に取り付けられる。また、挟み部１５により電線Ｄを把持するとき、作業者は、電線の一部が位置決め凹部１８内に入り込み、かつ電線の他の部分が位置決め突部１９と案内部３１の後端部との間に位置するように、防護管装着具１の姿勢を調整する。さらに、作業者は、必要に応じて、防護管装着具１の案内部３１が上を向くように防護管装着具１の姿勢を調整する。
【００３８】
次に、作業者は、間接活線工具を用い、防護管１０３の端部を、案内部３１の左側案内片３２の突出部３２ｂの突出端および右側案内片３３の突出部３３ｂの突出端に被せるように装着し、防護管１０３を図９中の矢示の方向に軽く押す。これにより、図１０に示すように、突出部３２ｂ、３３ｂがそれぞれ防護管１０３内に入り込む。突出部３２ｂ、３３ｂは、防護管装着具１の後ろ側に向かうに従って、左右方向の寸法が大きくなるので、防護管１０３が突出部３２ｂ、３３ｂに入り込む程度が大きくなるに従って、図１２に示すように、突出部３２ｂ、３３ｂが防護管１０３の割り部１０５に割り込み、割り部１０５を押し広げる。この結果、防護管１０３の端部が、各分割体１１に設けられた割込み部材１７の前端に到達する前に、防護管１０３において一方の脚部１０６に形成されたツバ１０７が、他方の脚部１０６から十分に離れる。また、防護管装着具１が電線Ｄに取り付けられた状態では、案内部３１の左側案内片３２と右側案内片３３とが互いに接近または接触し、案内部３１の全体的な形状が鏃状またはサーフボード状となる。このような案内部３１の外形により、割り部１０５を十分に押し広げつつ、防護管１０３を円滑に電線Ｄに向けて移動させることが可能になる。
【００３９】
さらに、作業者が防護管１０３を図１０中の矢示の方向に押すと、防護管１０３の端部が、ツバ１０７と他方の脚部１０６とが十分に離れた状態のまま、各割込み部材１７の前端部に到達し、続いて、各割込み部材１７の割込み面１７ａが防護管１０３の割り部１０５間に割り込み、割り部１０５が各割込み面１７ａにより押し広げられる。左側案内片３２および右側案内片３３にそれぞれ形成された突出部３２ｂ、３３ｂにより、防護管１０３の端部が各割込み部材１７の前端部に到達する前の段階で、ツバ１０７と他方の脚部１０６とが十分に離されているので、各割込み部材１７の割込み面１７ａを円滑に防護管１０３の割り部１０５間に割り込ませることができる。
【００４０】
さらに、作業者が防護管１０３を図１０中の矢示の方向に押すと、防護管１０３の端部が、各ローラ部材２１上を移動し、図１１に示すように、電線Ｄの外周側に到達する。この間、各ローラ部材２１は、防護管１０３が移動する方向に回転する。
【００４１】
また、防護管１０３が各ローラ部材２１上を移動している間、案内部３１の左側案内片３２の縁部３２ａおよび右側案内片３３の縁部３３ａがそれぞれ防護管１０３の内面に接触ないし係合する。これにより、防護管１０３は各ローラ部材２１上から離脱することなく、電線Ｄに向かって確実に移動する。
【００４２】
さらに、防護管１０３が各ローラ部材２１上を移動している間、防護管１０３のツバ１０７の縁部がローラ部材２１上に押し付けられる。ときには、ツバ１０７の縁部がローラ部材２１の下端側へ押し動かされることもある。ツバ１０７の縁部がローラ部材２１の下端側へ押し動かされると、ツバ１０７の縁部は、ローラ部材２１のフレア部２１ａに到達する。このとき、フレア部２１ａは、図６に示すように、下方に向かうに従って拡径しているので、ツバ１０７の端部の下向きの移動はフレア部２１ａにより食い止められる。これにより、ツバ１０７の縁部が、ローラ部材２１の下端部と、それに対向する左側案内片３２または右側案内片３３との間の隙間Ｇに食い込むことが防止される。
【００４３】
すなわち、左側の分割体１１において、ローラ部材２１と左側案内片３２との間には、当該ローラ部材２１の回転の円滑性を確保するためにわずかな隙間Ｇが形成されているが、フレア部２１ａにより、この隙間Ｇに、ツバ１０７の縁部が食い込むことが防止される。同様に、右側の分割体１１において、ローラ部材２１と右側案内片３３との間には、当該ローラ部材２１の回転の円滑性を確保するためにわずかな隙間が形成されているが、フレア部２１ａにより、この隙間に、ツバ１０７の縁部が食い込むことが防止される。したがって、ローラ部材２１と左側案内片３２または右側案内片３３との間の隙間にツバ１０７の縁部が食い込み、このために、防護管１０３の電線Ｄに向かう動きが停止してしまうことを防止することができる。
【００４４】
作業者は、間接活線工具を用いて防護管１０３を図１１中の矢示方向に動かし続けることにより、防護管１０３を電線Ｄに向かって連続的に円滑に移動させることができ、長尺の防護管１０３を電線Ｄに容易に装着することができる。
【００４５】
なお、各ローラ部材２１の上下方向において、フレア部２１ａが始まる位置（つまり拡径が始まる位置）は、適宜決定することができる。例えば、図６に示す位置よりも上方の位置としてもよいし、下方の位置としてよい。また、フレア部２１ａにおける拡径の程度（大きく拡径させるか、小さく拡径させるか）、または拡径の態様（径の拡大率を一定にして直線状に拡径させるか、径の拡大率を変化させて周面が上下方向に曲線を描くように拡径させるか）は適宜決定することができる。
【００４６】
また、防護管１０３のツバ１０７の食い込みがローラ部材２１の下端側と上端側との双方で発生する場合には、ローラ部材２１の下端部と上端部の双方にフレア部を形成してもよい。また、防護管１０３のツバ１０７の食い込みがローラ部材２１の上端側のみで発生する場合には、ローラ部材２１の上端部のみにフレア部を形成してもよい。
【００４７】
また、上述した実施形態ではすべてのローラ部材２１にフレア部２１ａを形成したが、防護管１０３のツバ１０７の食い込みが一部のローラ部材２１においてのみ発生する場合には、当該一部のローラ部材２１にのみフレア部２１ａを形成してもよい。
【００４８】
また、本発明は、請求の範囲および明細書全体から読み取ることのできる発明の要旨または思想に反しない範囲で適宜変更可能であり、そのような変更を伴う防護管装着具もまた本発明の技術思想に含まれる。
【符号の説明】
【００４９】
１  防護管装着具
１０  装着具本体（拡開部）
１１  分割体
１２  連結部材
１３  トーションバネ
１５  挟み部
１６  摘まみ部
１７  割込み部材
１７ａ  割込み面
１８  位置決め凹部（位置決め部）
１９  位置決め突部（位置決め部）
２１  ローラ部材
２１ａ  フレア部
２２  支柱部材
２５  拡開面
３１  案内部
３２  左側案内片
３３  右側案内片
３２ａ、３３ａ  縁部
３２ｂ、３３ｂ  突出部
【図１】
2015008574.tif 000003
【図２】
2015008574.tif 000004
【図３】
2015008574.tif 000005
【図４】
2015008574.tif 000006
【図５】
2015008574.tif 000007
【図６】
2015008574.tif 000008
【図７】
2015008574.tif 000009
【図８】
2015008574.tif 000010
【図９】
2015008574.tif 000011
【図１０】
2015008574.tif 000012
【図１１】
2015008574.tif 000013
【図１２】
2015008574.tif 000014